(57)【要約】【課題】  開閉用ジッパーの開封操作が行い易く、必要な場合には内部の気密性を高く維持することもできる収納袋を提供する。【解決手段】  シート状材料からなる袋の上端側に突条部材と溝部材からなる嵌め込み式の開閉用ジッパーを設け、このジッパーにより袋を開閉可能とした収納袋であって、袋の上端開口部にはジッパー開封用の摘まみを設けた収納袋。収納袋の内部を高気密性に維持するための気密接着部を設ける場合には、それを上記の開閉用ジッパーの下方に設ける。【選択図】          図５
2005306437.tif 000002
【特許請求の範囲】
【請求項１】
シート状材料からなる袋の上端側に突条部材と溝部材からなる嵌め込み式の開閉用ジッパーを設け、このジッパーにより袋を開閉可能とした収納袋であって、袋の上端開口部にはジッパー開封用の摘まみを設けたことを特徴とする収納袋。
【請求項２】
前記摘まみが、袋の上端開口部における突条部材設定側と溝部材設定側とに高低差を設けることによって形成されていることを特徴とする請求項１に記載の収納袋。
【請求項３】
前記袋の上端開口部における高低差が上端開口部の一方の片側と他方の片側とで逆転していることを特徴とする請求項２に記載の収納袋。
【請求項４】
前記摘まみが、袋の上端開口部における突条部材設定側と溝部材設定側との少なくとも一方に設けた突出片であることを特徴とする請求項１に記載の収納袋。
【請求項５】
前記突出片を袋の上端開口部における突条部材設定側と溝部材設定側とに設ける場合において、これらの突出片を互いに重複しない位置に設けたことを特徴とする請求項４に記載の収納袋。
【請求項６】
前記ジッパーの下部には線状又は帯状の気密接着部を設けたことを特徴とする請求項１〜請求項５のいずれかに記載の収納袋。
【請求項７】
前記気密接着部を、引張り力による剥離が可能な強度に接着したことを特徴とする請求項６に記載の収納袋。
【請求項８】
前記気密接着部の全体又は中央部を下向きのＶ字形ないしはＵ字形に形成したことを特徴とする請求項６又は請求項７に記載の収納袋。
【請求項９】
前記気密接着部をヒートシールにより形成したことを特徴とする請求項６〜請求項８のいずれかに記載の収納袋。
【発明の詳細な説明】
【技術分野】
【０００１】
本発明は収納袋に関し、更に詳しくは、シート状材料からなる袋の上端開口部に開閉用ジッパーを設けた収納袋に関する。
【背景技術】
【０００２】
近年、化粧品、薬品、菓子類その他の各種物品の収納袋として、ビニール製等のシート状材料からなる袋の上端開口部に嵌め込み式の開閉用ジッパーを設けた構造のものが良く使用されている。
【０００３】
このような開閉用ジッパーは、袋の上端開口部内周の片側には突条部材を、他の片側には溝部材を設けたものである。突条部材と溝部材は通常は通常は樹脂製であり、突条部材の突条を溝部材の溝中に圧入させることにより袋の上端開口部を封鎖することができるようになっている。
【０００４】
この方式の開閉用ジッパーは、収納袋の内部に対して高度な気密性を確保するまでには到らないが、比較的高いレベルの封止が可能であり、しかも、突条部材の溝部材に対する圧入及び離脱の繰り返しにより、収納袋の封鎖及び開封を簡単に、かつ繰り返し行うことができる、と言う特徴を持っている。
【０００５】
このような構造の収納袋の代表的な従来例を、図１及びそのＸ−Ｘ線断面の端面図である図２によって示す。図１に示す収納袋１は、２枚のビニール製のシート状材料２を用いて形成されている。シート状材料２の周縁部３は互いに気密にヒートシールされている。そして、収納袋１の開口部であることを予定されている上端側の周縁部３よりやや下側には、ジッパー４が構成されている。
【０００６】
このジッパー４は、図２に示すように、２枚のシート状材料２の内側面（対向する内周面）において、一方のシート状材料２には長手方向に突条を設けた突条部材５を接着し、他方のシート状材料２には長手方向に溝を設けた溝部材６を接着したものである。これらの突条部材５と溝部材６は樹脂製であって、突条を溝に圧入させることにより、ジッパー４が封鎖される。
【０００７】
上記のように、収納袋１の開口部においてヒートシール部（上端側の周縁部３）とジッパー４が２重に設けられている理由は、ジッパー４は開閉が容易であるが。高度な気密性を確保する程の密封が難しい点にある。
【０００８】
即ち、収納袋１に内容物を収納して商品とした後、その収納袋商品の保管・流通期間中はヒートシール部で気密性を確保して内容物の劣化を防止すると共に、消費者が購入した後は切り取り線ａに沿ってヒートシール部を切り離し、ジッパー４の開閉で収納袋１の開口部を開閉するようになっている。
【発明の開示】
【発明が解決しようとする課題】
【０００９】
しかしながら、上記の図１及び図２に示す従来技術では、切り取り線ａ沿いにハサミ等を用いてヒートシール部を切り離した後、ジッパー４の開閉操作において、２枚のシート状材料２の開口端縁部７をそれぞれ両手の指で摘んで操作する必要がある。ところが、これらの開口端縁部７が、上記の切り離し操作の関係で同じ高さで揃っているため、指で摘み難いと言う問題があった。
【００１０】
図２では、図示の便宜上、２枚のシート状材料２の開口端縁部７が互いに開いているように図示しているが、実際にはこれらは互いに密着している状態に近く、両手の指でそれぞれの開口端縁部７を摘むのはかなり面倒であった。
【００１１】
そして、このような問題は、収納袋１の開口部において、ヒートシール部の下方にジッパー４を設定すると言う構造上、避けることができなかった。
【００１２】
そこで本発明は、従来技術における上記の問題を解消することを、解決すべき技術的課題とする。
【課題を解決するための手段】
【００１３】
（第１発明の構成）
上記課題を解決するための本願第１発明の構成は、シート状材料からなる袋の上端側に突条部材と溝部材からなる嵌め込み式の開閉用ジッパーを設け、このジッパーにより袋を開閉可能とした収納袋であって、袋の上端開口部にはジッパー開封用の摘まみを設けた、収納袋である。
【００１４】
（第２発明の構成）
上記課題を解決するための本願第２発明の構成は、前記第１発明に係る摘まみが、袋の上端開口部における突条部材設定側と溝部材設定側とに高低差を設けることによって形成されている、収納袋である。
【００１５】
（第３発明の構成）
上記課題を解決するための本願第３発明の構成は、前記第２発明に係る袋の上端開口部における高低差が、上端開口部の一方の片側と他方の片側とで逆転している、収納袋である。
【００１６】
（第４発明の構成）
上記課題を解決するための本願第４発明の構成は、前記第１発明に係る摘まみが、袋の上端開口部における突条部材設定側と溝部材設定側との少なくとも一方に設けた突出片である、収納袋である。
【００１７】
（第５発明の構成）
上記課題を解決するための本願第５発明の構成は、前記第４発明に係る突出片を袋の上端開口部における突条部材設定側と溝部材設定側とに設ける場合において、これらの突出片を互いに重複しない位置に設けた、収納袋である。
【００１８】
（第６発明の構成）
上記課題を解決するための本願第６発明の構成は、前記第１発明〜第５発明のいずれかに係るジッパーの下部には線状又は帯状の気密接着部を設けた、収納袋である。
【００１９】
（第７発明の構成）
上記課題を解決するための本願第７発明の構成は、前記第６発明に係る気密接着部を、引張り力による剥離が可能な強度に接着した、収納袋である。
【００２０】
（第８発明の構成）
上記課題を解決するための本願第８発明の構成は、前記第６発明又は第７発明に係る気密接着部の全体又は中央部を下向きのＶ字形ないしはＵ字形に形成した、収納袋である。
【００２１】
（第９発明の構成）
上記課題を解決するための本願第９発明の構成は、前記第６発明〜第８発明のいずれかに係る気密接着部をヒートシールにより形成した、収納袋である。
【発明の効果】
【００２２】
（第１発明の効果）
第１発明の収納袋においては、袋の上端側に突条部材と溝部材からなる嵌め込み式の開閉用ジッパーを設けると共に、袋の上端開口部にジッパー開封用の摘まみを設けたので、この摘まみを指で摘んで、ジッパーの開閉操作を容易に行うことができる。
【００２３】
前記従来技術においては、ジッパーの上方にヒートシール部を設定し、ハサミ等を用いてヒートシール部を切り離した後にジッパーを開閉操作する方式であるため、袋の上端開口部に第１発明のようなジッパー開封用の摘まみを設定することができない。
【００２４】
なお、収納袋の内容物たる商品が、その流通・保管時において高い気密性を要求されるものである場合には、第６発明〜第９発明のように、ジッパーの下部に線状又は帯状の気密な接着部、例えばヒートシール部を設ければ良い。
【００２５】
（第２発明の効果）
前記の第１発明に係る摘まみの形態は、指で摘まみ易いものである限りにおいて任意に選択することができるが、例えば第２発明のように、袋の上端開口部における突条部材設定側と溝部材設定側とに高低差を設けることによって、結果的に摘まみとして利用できるものであっても良い。
【００２６】
（第３発明の効果）
摘まみは、両手の指でそれぞれに摘まむことができる形態で１対に設けると、ジッーの開封操作が特に容易である。その意味で、第３発明のように、袋の上端開口部における高低差が上端開口部の一方の片側と他方の片側とで逆転している形態は、好ましい一例である。
【００２７】
（第４発明の効果）
前記の第１発明に係る摘まみの形態として、第４発明のように、袋の上端開口部における突条部材設定側と溝部材設定側との少なくとも一方に突出片を設けた形態も、指で摘まみ易い
（第５発明の効果）
袋の上端開口部に摘まみとしての突出片を設ける場合においては、第５発明のように、袋の上端開口部における突条部材設定側と溝部材設定側とに１対に設け、これらの突出片を互いに重複しない位置に設けることが、特に好ましい。
【００２８】
（第６発明の効果）
ジッパーの下部には、第６発明のように、線状又は帯状の気密接着部を設けることができる。前記したように、収納袋の内容物たる商品が空気等に触れて劣化や吸湿を起こし、商品価値を減じ易いものである場合、ジッパーの下部に設けた気密接着部が有効である。
【００２９】
（第７発明の効果）
上記した第６発明に係る気密接着部は、前記従来技術のような切り離し形式ではないため、ジッパー開封時等の引張り力による剥離が可能な強度に接着されていることが好ましい。
【００３０】
（第８発明の効果）
ジッパー開封時等の引張り力によって気密接着部を剥離させるためには、第８発明のように、線状又は帯状の気密接着部全体又は少なくともその中央部を下向きのＶ字形ないしはＵ字形に形成すると、構造的に剥離が容易になる。
【００３１】
（第９発明の効果）
気密接着部の形成方法は任意に選択することができるが、例えば第９発明のように、気密接着部をヒートシールにより形成することも、好ましい。
【発明を実施するための最良の形態】
【００３２】
次に、本願の第１発明〜第９発明の実施形態を、その最良の形態を含めて説明する。以下において単に「本発明」と言うときは、上記の各発明を一括して指している。
【００３３】
〔収納袋〕
本発明に係る収納袋は、シート状材料からなる袋の上端側に突条部材と溝部材からなる嵌め込み式の開閉用ジッパーを設け、このジッパーにより袋を開閉可能とした収納袋である。そして、収納袋の上端開口部にはジッパー開封用の摘まみを設けている。
【００３４】
シート状材料の材質は限定されないが、好ましくは柔軟な材質のシート状材料、例えばビニールシート等の各種合成樹脂製のフィルム材料を用いる。ある程度の強度を期待できるなら、紙製等のシート状材料も利用できる。シート状材料の透明性、通気性等は、使用目的に応じて任意に決定することができる。
【００３５】
収納袋は、開口部が設定されている限りにおいて、そのサイズ、内部構造あるいは平面形状を限定されない。収納袋の平面形状としては、例えば正方形や長方形に限らず、円形、楕円形とすることもできるし、デザイン上の観点からアルファベット文字の形状や動物の姿等を真似た形状としても良い。
【００３６】
〔収納袋の用途・内容物〕
収納袋の用途は、任意の内容物を収納する目的を持つ限りにおいて、全く限定されない。内容物の種類も全く任意に選択することができるが、ごく一部の例示として、化粧品、湿布薬、菓子類、加工調味品等を例示することができる。
【００３７】
〔開閉用ジッパー〕
収納袋の開閉用ジッパーは、収納袋の開口部付近の内周部において、通常は開口部とほぼ平行に、突条部材と溝部材とを互いに対向する位置に設けることによって構成される。突条部材と溝部材とは、弾性的に変形し得る合成樹脂材料等からなる。
【００３８】
「突条部材」とは、ベルト状の部材であって、その中央線に沿って突条が形成されたものを言う。一方、「溝部材」とは、ベルト状の部材であって、その中央線に沿って、突条部材の突条を圧入できる形状の溝が形成されたものを言う。開閉用ジッパーは、突条が溝に圧入された時に「閉」状態となり、突条が溝から離脱した時に「開」状態となる。
【００３９】
〔摘まみ〕
ジッパー開封用の摘まみは、袋の上端開口部、即ちジッパーのすぐ上の部位に設けられる。この摘まみは、指で摘まみ易い形状であれば、形状あるいは形態を限定されないが、一例として、袋の上端開口部における突条部材設定側と溝部材設定側とに高低差を設けて、高い側を摘まみとして利用するものを挙げることができる。他の一例として、袋の上端開口部における突条部材設定側と溝部材設定側との少なくとも一方に突出片を設けたものも、挙げることができる。
【００４０】
これらの摘まみは、袋の上端開口部における突条部材設定側と溝部材設定側とに一対に設けると、両手の指でそれぞれの摘まみを把持してジッパーの開封操作ができるので、特に好ましい。同じ見地から、これらの一対の摘まみを、収納袋の平面視において互いに重複しない位置に設けることが、とりわけ好ましい。
【００４１】
〔気密接着部〕
本発明の収納袋において、気密接着部は不可欠ではないが、収納袋の内容物の流通・保管時における気密な収納により、その劣化や吸湿を防止する上では、非常に好ましい。内容物を収納した収納袋を消費者が購入し、ジッパー及び気密接着部を開封した後は、ジッパーのみによって収納袋が封鎖されるので高度の気密は期待できない。しかし、このような際には内容物は比較的短期間に消費されるため、ジッパーによる収納袋の封鎖のみで十分である。
【００４２】
気密接着部を設ける場合は、ジッパーの下部に線状又は帯状に設ける。気密接着部は、収納袋を構成するシート状材料の内周面同士を適宜な手段で気密に接着させることによって形成される。シート状材料の内周面同士を接着させる手段としては、人体に無害な接着剤を用いても良いし、シート状材料が合成樹脂性である場合にはヒートシール（熱融着）によっても良い。これらの場合、引張り力による剥離が可能な強度に接着させることが好ましい。
【００４３】
又、線状又は帯状の気密接着部は、その全体又は少なくとも中央部を下向きのＶ字形ないしはＵ字形に形成すると、引張り力によって剥離させ易い。
【実施例】
【００４４】
以下に、本発明の実施例を図面に基づいて説明する。本発明の技術的範囲がこれらの実施例によって限定されないことは、もちろんである。
【００４５】
図３に示す収納袋８は、２枚のビニール製のシート状材料９を用いて形成されている。シート状材料９の周縁部１０は互いに気密にヒートシールされている。そして、収納袋１の開口部である上端部のやや下側には、ジッパー１１が構成されている。
【００４６】
このジッパー１１は、図４に示すように、２枚のシート状材料９の内側面において、一方のシート状材料９には長手方向に突条を設けた突条部材１２を接着し、他方のシート状材料９には長手方向に溝を設けた溝部材１３を接着したものである。これらの突条部材１２と溝部材１３は樹脂製であって、突条を溝に圧入させることにより、ジッパー１１が封鎖される。
【００４７】
収納袋８の開口部である上端部（ジッパー１１の上方部）には、ジッパー開封用の１対の摘まみ１４を設けている。これらの摘まみ１４は、図４（ａ）及び図４（ｂ）に示すように、収納袋８の上端開口部における突条部材設定側と溝部材設定側とに高低差を設けることによって形成されている。しかも、この高低差は、上端開口部の一方の片側と他方の片側とで逆転している。
【００４８】
従って、図５に示すように、片手の指で一方の摘まみ１４を、他の片手の指で他方の摘まみ１４を、それぞれ容易に摘むことができ、これらの摘まみ１４を反対方向へ引張ることにより、ジッパー１１を容易に開封することができる。
【００４９】
図６に示す収納袋１５においては、ジッパー１６の下部に細い帯状の気密接着部１７を設けている。この気密接着部１７は、収納袋１５を構成するビニール製のシート状材料を、ジッパー１６を開く引張り力によって剥離が可能な程度の接着力を以てヒートシールしたものである。この収納袋１５におけるその他の点の構成は、図１〜図５に示す実施例と同様である。
【００５０】
図７に示す収納袋１８においては、収納袋の上端開口部における突条部材設定側と溝部材設定側とのいずれか一方に、上方への突出片である摘まみ１９を設けている。この収納袋１８におけるその他の点の構成は、図１〜図５に示す実施例と同様である。
【００５１】
図８に示す収納袋２０においては、収納袋の上端開口部における突条部材設定側と溝部材設定側とのそれぞれに、上方への突出片である摘まみ２１を設け、かつ、これらの摘まみ２１は互いに重複しない位置に設けられている。この収納袋２０におけるその他の点の構成は、図１〜図５に示す実施例と同様である。
【００５２】
図９に示す収納袋２２においては、ジッパー１１の下部に設けた細い帯状の気密接着部２３が、その中央部において、下向きのＶ字形に屈曲して形成されている。この収納袋２２におけるその他の点の構成は、図１〜図５に示す実施例と同様である。
【産業上の利用可能性】
【００５３】
本発明によって、開閉用ジッパーの開封操作が行い易い収納袋が提供される。収納袋の内部の気密性を高く維持したい場合には、ジッパーのの下部に気密接着部が形成される。
【図面の簡単な説明】
【００５４】
【図１】従来技術を示す平面図である。
【００５５】
【図２】図１のＸ−Ｘ線断面の端面図である。
【００５６】
【図３】実施例を示す平面図である。
【００５７】
【図４】図４（ａ）は図３のＺ−Ｚ線断面の端面図であり、図４（ｂ）は図３のＹ−Ｙ線断面の端面図である。
【００５８】
【図５】図３に示す実施例の使用状態を説明する図である。
【００５９】
【図６】他の実施例を示す図である。
【００６０】
【図７】更に他の実施例を示す図である。
【００６１】
【図８】更に他の実施例を示す図である。
【００６２】
【図９】更に他の実施例を示す図である。
【符号の説明】
【００６３】
８，１５，１８，２０，２２      収納袋
９                              シート状材料
１０                            周縁部
１１，１６                      ジッパー
１２                            突条部材
１３                            溝部材
１４，１９，２１                摘まみ
１７，２３                      気密接着部
【図１】
2005306437.tif 000003
【図２】
2005306437.tif 000004
【図３】
2005306437.tif 000005
【図４】
2005306437.tif 000006
【図５】
2005306437.tif 000007
【図６】
2005306437.tif 000008
【図７】
2005306437.tif 000009
【図８】
2005306437.tif 000010
【図９】
2005306437.tif 000011